(57)【要約】【課題】消費電力を、より削減し、かつ、視認性を、より向上させる。【解決手段】発光量算出部１９は、光源３２に発光させる光の発光量を算出する発光量算出処理として、補正最大画素値に応じて、発光量を算出する処理を行う。表示モードが、省電力モードである場合、発光量算出部１９は、補正最大画素値に応じて、基準発光量以下の発光量を、光源の発光量として算出し、表示モードが、視認性向上モードである場合、発光量算出部１９は、基準発光量、又は、基準発光量より大の発光量を、光源の発光量として算出する。画像補正部１８は、画像を補正する画像補正処理として、画像の最大の画素値を補正した補正最大画素値に応じて、画像の画素値を伸張する処理と、伸張による、補正最大画素値から最大画素値までの画素値の飽和を抑制する階調補正を行う。本発明は、例えば、画像を表示する表示システムに適用できる。【選択図】図１
2011128458.tif 000002
【特許請求の範囲】
【請求項１】
光源からの光を用いて画像を表示する表示装置に表示させる対象の画像である表示対象画像の画素値から、最大の画素値である最大画素値を検出する最大画素値検出手段と、
前記最大画素値を補正する補正量を設定する補正量設定手段と、
前記最大画素値を、前記補正量に従って補正し、前記最大画素値より小さい値の補正最大画素値を算出する最大画素値補正手段と、
前記表示装置に画像を表示させる表示モードとして、消費電力を削減する省電力モード、又は、前記表示装置に表示される画像の視認性を向上させる視認性向上モードを設定する表示モード設定手段と、
前記表示対象画像を補正する画像補正処理として、前記補正最大画素値に応じて、前記表示対象画像の画素値を伸張する処理を行う画像補正手段と、
前記光源に発光させる光の発光量を算出する発光量算出処理として、前記補正最大画素値に応じて、前記発光量を算出する処理を行う発光量算出手段と
を備え、
前記表示モードが、前記省電力モードである場合、
前記発光量算出手段は、前記補正最大画素値に応じて、あらかじめ設定された基準の発光量である基準発光量以下の発光量を、前記光源の発光量として算出し、
前記表示モードが、前記視認性向上モードである場合、
前記発光量算出手段は、前記基準発光量、又は、前記基準発光量より大の発光量を、前記光源の発光量として算出し、
前記画像補正手段は、前記伸張による、前記補正最大画素値から前記最大画素値までの画素値の飽和を抑制する階調補正も、前記画像補正処理として行う
表示制御装置。
【請求項２】
前記画像補正手段は、前記補正最大画素値の増加に対して単調減少する伸張率の特性である伸張率特性であって、かつ、１倍より大の値を最大値とするとともに、１倍を最小とする伸張率特性に従い、前記補正最大画素値に対する前記伸張率を算出し、その伸張率で、前記表示対象画像の画素値を伸張し、
前記発光量算出手段は、前記補正最大画素値の増加に対して単調増加する、前記基準発光量に対する発光量の割合を表す発光倍率の特性である発光倍率特性に従い、前記補正最大画素値に対する前記発光倍率を算出し、その発光倍率と前記基準発光量との乗算を行うことにより、前記光源の発光量を算出し、
前記表示モードが、前記省電力モードである場合、
前記発光量算出手段は、前記伸張率の最大値の逆数を最小値とするとともに、１倍を最大値とする前記発光倍率特性である第１の発光倍率特性に従い、前記補正最大画素値に対する前記発光倍率を算出し、
前記表示モードが、前記視認性向上モードである場合、
前記発光量算出手段は、１倍を最小値とする前記発光倍率特性である第２の発光倍率特性に従い、前記補正最大画素値に対する前記発光倍率を算出する
請求項１に記載の表示制御装置。
【請求項３】
外光の照度を検出する照度検出手段をさらに備え、
前記表示モード設定手段は、前記照度に応じて、前記表示モードを設定する
請求項２に記載の表示制御装置。
【請求項４】
前記補正量設定手段は、前記表示モードに応じて、前記補正量を設定する
請求項３に記載の表示制御装置。
【請求項５】
外光の照度を検出する照度検出手段をさらに備え、
前記補正量設定手段は、前記照度に応じて、前記補正量を設定する
請求項２に記載の表示制御装置。
【請求項６】
前記画像補正手段は、
前記表示対象画像の輪郭を強調する輪郭強調も、前記画像補正処理として行い、
前記表示モードが、前記視認性向上モードである場合、前記輪郭強調で輪郭を強調する度合いである輪郭強調度を、前記表示モードが、前記省電力モードである場合よりも強くする
請求項２に記載の表示制御装置。
【請求項７】
前記表示モード設定手段は、ユーザの操作に応じて、前記表示モードを設定する
請求項２に記載の表示制御装置。
【請求項８】
光源からの光を用いて画像を表示する表示装置による画像の表示を制御する表示制御装置が、
前記表示装置に表示させる対象の画像である表示対象画像の画素値から、最大の画素値である最大画素値を検出する最大画素値検出ステップと、
前記最大画素値を補正する補正量を設定する補正量設定ステップと、
前記最大画素値を、前記補正量に従って補正し、前記最大画素値より小さい値の補正最大画素値を算出する最大画素値補正ステップと、
前記表示装置に画像を表示させる表示モードとして、消費電力を削減する省電力モード、又は、前記表示装置に表示される画像の視認性を向上させる視認性向上モードを設定する表示モード設定ステップと、
前記表示対象画像を補正する画像補正処理として、前記補正最大画素値に応じて、前記表示対象画像の画素値を伸張する処理を行う画像補正ステップと、
前記光源に発光させる光の発光量を算出する発光量算出処理として、前記補正最大画素値に応じて、前記発光量を算出する処理を行う発光量算出ステップと
を含み、
前記表示モードが、前記省電力モードである場合、
前記発光量算出ステップでは、前記補正最大画素値に応じて、あらかじめ設定された基準の発光量である基準発光量以下の発光量を、前記光源の発光量として算出し、
前記表示モードが、前記視認性向上モードである場合、
前記発光量算出ステップでは、前記基準発光量、又は、前記基準発光量より大の発光量を、前記光源の発光量として算出し、
前記画像補正ステップでは、前記伸張による、前記補正最大画素値から前記最大画素値までの画素値の飽和を抑制する階調補正も、前記画像補正処理として行う
表示制御方法。
【請求項９】
光源からの光を用いて画像を表示する表示装置に表示させる対象の画像である表示対象画像の画素値から、最大の画素値である最大画素値を検出する最大画素値検出手段と、
前記最大画素値を補正する補正量を設定する補正量設定手段と、
前記最大画素値を、前記補正量に従って補正し、前記最大画素値より小さい値の補正最大画素値を算出する最大画素値補正手段と、
前記表示装置に画像を表示させる表示モードとして、消費電力を削減する省電力モード、又は、前記表示装置に表示される画像の視認性を向上させる視認性向上モードを設定する表示モード設定手段と、
前記表示対象画像を補正する画像補正処理として、前記補正最大画素値に応じて、前記表示対象画像の画素値を伸張する処理を行う画像補正手段と、
前記光源に発光させる光の発光量を算出する発光量算出処理として、前記補正最大画素値に応じて、前記発光量を算出する処理を行う発光量算出手段と
して、コンピュータを機能させるためのプログラムであり、
前記表示モードが、前記省電力モードである場合、
前記発光量算出手段は、前記補正最大画素値に応じて、あらかじめ設定された基準の発光量である基準発光量以下の発光量を、前記光源の発光量として算出し、
前記表示モードが、前記視認性向上モードである場合、
前記発光量算出手段は、前記基準発光量、又は、前記基準発光量より大の発光量を、前記光源の発光量として算出し、
前記画像補正手段は、前記伸張による、前記補正最大画素値から前記最大画素値までの画素値の飽和を抑制する階調補正も、前記画像補正処理として行う
プログラム。
【発明の詳細な説明】
【技術分野】
【０００１】
本発明は、表示制御装置、表示制御方法、及び、プログラムに関し、特に、例えば、画像の表示において、消費電力を、より削減し、かつ、視認性を、より向上させることができるようにする表示制御装置、表示制御方法、及び、プログラムに関する。
【背景技術】
【０００２】
光源からの光を用いて画像を表示する表示装置としては、例えば、液晶表示装置がある。
【０００３】
液晶表示装置では、画像に応じて光を透過（又は遮断）する液晶パネルに、光源としてのバックライトからの光を照射することで、画像が表示される。
【０００４】
例えば、特許文献１には、暗い画像については、バックライトの発光量を減少させるとともに、液晶パネルでの光の減光量（遮断量）を増加させ、明るい画像については、バックライトの発光量を増加させるとともに、液晶パネルでの光の減光量を減少させる表示装置が記載されている。
【０００５】
また、例えば、特許文献２には、明るい方向に画像信号を拡散し、バックライトについては、その輝度を、画像信号の拡散量に応じて暗くする処理や、トーン分布が明るい方に密集している画像信号については、その密集部分を暗い方に拡散し、バックライトの輝度を、拡散した分だけ暗くする処理、トーン分布が中間部分に密集している場合には、それを明るい側と暗い側に拡散し、その際にはバックライトの輝度は変更しない処理を行う表示装置が記載されている。
【先行技術文献】
【特許文献】
【０００６】
【特許文献１】特開平09-244548号公報
【特許文献２】特開2006-145836号公報
【発明の概要】
【発明が解決しようとする課題】
【０００７】
例えば、特許文献１に記載の表示装置のように、暗い画像については、バックライトの発光量を減少させるとともに、液晶パネルでの光の減光量を増加させることで、表示装置での消費電力を削減することができる。
【０００８】
また、例えば、特許文献２に記載の表示装置のように、画像信号を拡散するとともに、バックライトの輝度を調整することで、鮮明で見やすい画像を表示すること、すなわち、画像の視認性を向上させることができる。
【０００９】
しかしながら、近年においては、消費電力を削減すること、及び、視認性を向上させることの要請が、より高まってきている。
【００１０】
本発明は、このような状況に鑑みてなされたものであり、消費電力を、より削減し、かつ、視認性を、より向上させることができるようにするものである。
【課題を解決するための手段】
【００１１】
本発明の一側面の表示制御装置、又は、プログラムは、光源からの光を用いて画像を表示する表示装置に表示させる対象の画像である表示対象画像の画素値から、最大の画素値である最大画素値を検出する最大画素値検出手段と、前記最大画素値を補正する補正量を設定する補正量設定手段と、前記最大画素値を、前記補正量に従って補正し、前記最大画素値より小さい値の補正最大画素値を算出する最大画素値補正手段と、前記表示装置に画像を表示させる表示モードとして、消費電力を削減する省電力モード、又は、前記表示装置に表示される画像の視認性を向上させる視認性向上モードを設定する表示モード設定手段と、前記表示対象画像を補正する画像補正処理として、前記補正最大画素値に応じて、前記表示対象画像の画素値を伸張する処理を行う画像補正手段と、前記光源に発光させる光の発光量を算出する発光量算出処理として、前記補正最大画素値に応じて、前記発光量を算出する処理を行う発光量算出手段とを備え、前記表示モードが、前記省電力モードである場合、前記発光量算出手段は、前記補正最大画素値に応じて、あらかじめ設定された基準の発光量である基準発光量以下の発光量を、前記光源の発光量として算出し、前記表示モードが、前記視認性向上モードである場合、前記発光量算出手段は、前記基準発光量、又は、前記基準発光量より大の発光量を、前記光源の発光量として算出し、前記画像補正手段は、前記伸張による、前記補正最大画素値から前記最大画素値までの画素値の飽和を抑制する階調補正も、前記画像補正処理として行う表示制御装置、又は、表示制御装置として、コンピュータを機能させるためのプログラムである。
【００１２】
本発明の一側面の表示制御方法は、光源からの光を用いて画像を表示する表示装置による画像の表示を制御する表示制御装置が、前記表示装置に表示させる対象の画像である表示対象画像の画素値から、最大の画素値である最大画素値を検出する最大画素値検出ステップと、前記最大画素値を補正する補正量を設定する補正量設定ステップと、前記最大画素値を、前記補正量に従って補正し、前記最大画素値より小さい値の補正最大画素値を算出する最大画素値補正ステップと、前記表示装置に画像を表示させる表示モードとして、消費電力を削減する省電力モード、又は、前記表示装置に表示される画像の視認性を向上させる視認性向上モードを設定する表示モード設定ステップと、前記表示対象画像を補正する画像補正処理として、前記補正最大画素値に応じて、前記表示対象画像の画素値を伸張する処理を行う画像補正ステップと、前記光源に発光させる光の発光量を算出する発光量算出処理として、前記補正最大画素値に応じて、前記発光量を算出する処理を行う発光量算出ステップとを含み、前記表示モードが、前記省電力モードである場合、前記発光量算出ステップでは、前記補正最大画素値に応じて、あらかじめ設定された基準の発光量である基準発光量以下の発光量を、前記光源の発光量として算出し、前記表示モードが、前記視認性向上モードである場合、前記発光量算出ステップでは、前記基準発光量、又は、前記基準発光量より大の発光量を、前記光源の発光量として算出し、前記画像補正ステップでは、前記伸張による、前記補正最大画素値から前記最大画素値までの画素値の飽和を抑制する階調補正も、前記画像補正処理として行う表示制御方法である。
【００１３】
以上のような一側面においては、光源からの光を用いて画像を表示する表示装置に表示させる対象の画像である表示対象画像の画素値から、最大の画素値である最大画素値が検出される一方、前記最大画素値を補正する補正量が設定され、前記最大画素値が、前記補正量に従って補正され、前記最大画素値より小さい値の補正最大画素値が算出される。また、前記表示装置に画像を表示させる表示モードとして、消費電力を削減する省電力モード、又は、前記表示装置に表示される画像の視認性を向上させる視認性向上モードが設定される。さらに、前記表示対象画像を補正する画像補正処理として、前記補正最大画素値に応じて、前記表示対象画像の画素値を伸張する処理が行われ、前記光源に発光させる光の発光量を算出する発光量算出処理として、前記補正最大画素値に応じて、前記発光量を算出する処理が行われる。そして、前記表示モードが、前記省電力モードである場合、前記補正最大画素値に応じて、あらかじめ設定された基準の発光量である基準発光量以下の発光量が、前記光源の発光量として算出され、前記表示モードが、前記視認性向上モードである場合、前記基準発光量、又は、前記基準発光量より大の発光量が、前記光源の発光量として算出される。さらに、画像補正処理では、前記伸張による、前記補正最大画素値から前記最大画素値までの画素値の飽和を抑制する階調補正も行われる。
【００１４】
なお、表示制御装置は、独立した装置であっても良いし、１つの装置を構成している内部ブロックであっても良い。
【００１５】
また、プログラムは、伝送媒体を介して伝送することにより、又は、記録媒体に記録して、提供することができる。
【発明の効果】
【００１６】
本発明の一側面によれば、消費電力を、より削減し、かつ、視認性を、より向上させることができる。
【図面の簡単な説明】
【００１７】
【図１】本発明を適用した表示システムの一実施の形態の構成例を示すブロック図である。
【図２】制御部１３の機能的な構成例を示すブロック図である。
【図３】表示対象画像の画素値のヒストグラムを示す図である。
【図４】伸張率特性と、発光倍率特性とを示す図である。
【図５】MAX/Pm'倍伸張入出力特性を示す図である。
【図６】制御処理を説明するフローチャートである。
【図７】補正最大画素値算出処理を説明するフローチャートである。
【図８】画像補正処理を説明するフローチャートである。
【図９】発光量算出処理を説明するフローチャートである。
【図１０】伸張階調変換入出力特性を示す図である。
【図１１】画像補正処理を説明するフローチャートである。
【図１２】表示モードの設定の処理を説明するフローチャートである。
【図１３】補正量の設定の処理を説明するフローチャートである。
【図１４】補正量特性を示す図である。
【図１５】補正量設定モード、表示モード設定モード、及び、表示モードと、補正量、発光倍率、輪郭強調度、及び、色信号の伸張率との関係を示す図である。
【図１６】本発明を適用したコンピュータの一実施の形態の構成例を示すブロック図である。
【発明を実施するための形態】
【００１８】
［本発明を適用した表示システムの一実施の形態の構成例］
【００１９】
図１は、本発明を適用した表示システム（システムとは、複数の装置が論理的に集合した物をいい、各構成の装置が同一筐体中にあるか否かは、問わない）の一実施の形態の構成例を示すブロック図である。
【００２０】
図１の表示システムは、画像を表示するあらゆる装置に適用可能である。但し、図１の表示システムは、例えば、ディジタルカメラやビデオカメラ等の、撮像画像やOSD(On Screen Display)の確認用の液晶モニタ等のモニタを有し、かつ、低消費電力化、及び、屋外における視認性が重要となるモバイル（携帯）機器に、特に有用である。
【００２１】
図１の表示システムは、表示制御装置１０と、表示装置３０とを有する。
【００２２】
表示制御装置１０には、表示装置３０に表示させる対象の画像（以下、表示対象画像ともいう）（のデータ）が供給され、表示制御装置１０は、表示対象画像を、表示装置３０に表示させる表示制御を行う。
【００２３】
すなわち、表示制御装置１０は、照度センサ１１、A/D(Analog/Digital)変換部１２、制御部１３、操作部１４、ヒストグラム生成部１５、最大画素値検出部１６、最大画素値補正部１７、画像補正部１８、及び、発光量算出部１９を有する。
【００２４】
照度センサ１１は、外光の照度を検出（センシング）し、その照度を表す、アナログ信号の照度信号を、A/D変換部１２に供給する。
【００２５】
A/D変換部１２は、照度センサ１１からの照度信号を、A/D変換することにより、ディジタル信号の照度データに変換し、制御部１３に供給する。
【００２６】
制御部１３には、A/D変換部１２から、照度データが供給される他、操作部１４から、ユーザの操作に対応する操作信号が供給される。
【００２７】
制御部１３は、CPU１３Ａ、及び、メモリ１３Ｂを有し、A/D変換部１２からの照度データや、操作部１４からの操作信号等に従い、表示制御装置１０を構成する各ブロックの制御その他の各種の処理を行う。
【００２８】
すなわち、制御部１３では、CPU１３Ａが、メモリ１３Ｂに記憶されたプログラムを実行することで、各種の処理を行う。メモリ１３Ｂは、CPU１３Ａが実行するプログラムや、CPU１３Ａの動作上必要なデータを記憶する。
【００２９】
操作部１４は、ユーザによって操作され、その操作に対応する操作信号を、制御部１３に供給する。
【００３０】
ヒストグラム生成部１５には、例えば、図示せぬ撮像部で撮像された画像が、表示対象画像として供給される。
【００３１】
ヒストグラム生成部１５は、表示対象画像の１フレームや連続する複数フレーム等の、あらかじめ設定された表示制御を行う表示制御単位ごとに、表示対象画像の画素値のヒストグラムを生成し、最大画素値検出部１６に供給する。
【００３２】
最大画素値検出部１６は、ヒストグラム生成部１５からのヒストグラムに基づき、表示制御単位の表示対象画像の画素値から、最大の画素値である最大画素値を検出し、最大画素値補正部１７に供給する。
【００３３】
最大画素値補正部１７には、最大画素値検出部１６から、最大画素値が供給される他、制御部１３から、後述するように、最大画素値を補正する補正量が供給される。
【００３４】
最大画素値補正部１７は、最大画素値検出部１６からの最大画素値を、制御部１３からの補正量に従って補正し、すなわち、例えば、最大画素値から、正の値の補正量を減算することにより、最大画素値を補正し、最大画素値より小さい値の補正最大画素値を算出する。
【００３５】
なお、最大画素値補正部１７では、その他、例えば、最大画素値に、1.0未満の正の値の補正量を乗算することにより、最大画素値より小さい値の補正最大画素値を算出することができる。
【００３６】
最大画素値補正部１７は、補正最大画素値を、画像補正部１８、及び、発光量算出部１９に供給する。
【００３７】
さらに、最大画素値補正部１７は、最大画素値検出部１６からの最大画素値（又は、補正最大画素値とともに用いて、最大画素値を求めることができる情報である補正量）を、画像補正部１８に供給する。
【００３８】
画像補正部１８には、最大画素値補正部１７から、最大画素値、及び、補正最大画素値が供給される他、表示対象画像が供給されるとともに、制御部１３から、後述するように、表示装置３０に表示対象画像を表示させる表示モードが供給される。
【００３９】
画像補正部１８は、制御部１３からの表示モードに従い、表示制御単位の表示対象画像を補正する画像補正処理として、その表示制御単位の表示対象画像から得られた、最大画素値補正部１７からの補正最大画素値に応じて、表示対象画像の画素値を伸張する処理を行う。
【００４０】
そして、画像補正部１８は、画像補正処理後の表示対象画像を、表示装置３０の、後述する表示パネル３３に供給する。
【００４１】
なお、画像補正部１８は、表示対象画像の画素値の伸張の他、その伸張による、補正最大画素値から最大画素値までの画素値の飽和を抑制する階調補正も、画像補正処理として行う。
【００４２】
さらに、画像補正部１８は、表示対象画像の輪郭を強調する輪郭強調も、画像補正処理として行う。
【００４３】
発光量算出部１９には、最大画素値補正部１７から、補正最大画素値が供給される他、制御部１３から、後述するように、表示モードと、基準発光量とが供給される。
【００４４】
ここで、基準発光量とは、表示装置３０の、後述する光源３２が発光する光の基準の発光量である。
【００４５】
発光量算出部１９は、制御部１３からの表示モードに従い、光源３２に発光させる光の発光量を算出する発光量算出処理として、最大画素値補正部１７からの補正最大画素値に応じて、発光量を算出する処理を行い、その発光量を表す発光量情報を、光源駆動部３１に供給する。
【００４６】
ここで、発光量算出部１９は、最大画素値補正部１７からの補正最大画素値に応じて、制御部１３からの基準発光量に乗算する係数である発光倍率を算出し、その発光倍率を、基準発光量に乗算することで、光源３２の発光量（光源３２に発光させる光の発光量）を算出する。
【００４７】
このように、発光倍率は、基準発光量に乗算され、その乗算結果が、光源３２の発光量となるので、基準発光量に対する光源３２の発光量の割合を表す。
【００４８】
表示装置３０は、光源駆動部３１、光源３２、及び、表示パネル３３を有し、光源３２からの光を用いて、例えば、その光を、表示対象画像に応じて、透過（遮断）、又は、反射することにより、表示対象画像を表示する。
【００４９】
すなわち、光源駆動部３１は、発光量算出部１９からの発光量情報に従って、光源３２を駆動し、その発光量情報が表す発光量の光を、光源３２に発光させる。
【００５０】
光源３２は、例えば、LED(Light Emitting Diode)等であり、光源駆動部３１によって駆動され、発光量情報が表す発光量（光度）の光を発光（発）する。
【００５１】
光源３２が発光する光は、表示パネル３３に照射される。
【００５２】
表示パネル３３は、例えば、液晶パネルであり、画像補正部１８から供給される表示対象画像に応じて、光源３２からの光を透過（遮断）ことにより、表示対象画像を表示する。
【００５３】
［制御部１３の機能的構成例］
【００５４】
図２は、図１の制御部１３の機能的な構成例を示すブロック図である。
【００５５】
図２の機能的な構成は、制御部１３のCPU１３Ａがプログラムを実行することで実現される。
【００５６】
図２において、制御部１３は、表示モード設定部４１、補正量設定部４２、及び、基準発光量設定部４３を有する。
【００５７】
表示モード設定部４１、補正量設定部４２、及び、基準発光量設定部４３には、A/D変換部１２（図１）からの照度データと、操作部１４（図１）からの操作信号が供給される。
【００５８】
表示モード設定部４１は、A/D変換部１２からの照度データや、操作部１４からの操作信号に従って、表示モードを設定し、補正量設定部４２に供給するとともに、画像補正部１８、及び、発光量算出部１９（図１）に供給する。
【００５９】
ここで、表示モードとしては、表示システム（の表示装置３０）の消費電力を削減する省電力モードと、表示装置３０に表示される画像の視認性を向上させる視認性向上モードとがある。
【００６０】
また、表示モード設定部４１において、表示モードを設定する表示モード設定モードとしては、操作部１４からの操作信号に従って表示モードを設定する手動モードと、A/D変換部１２からの照度データに従って表示モードを設定する自動モードとがある。
【００６１】
表示モード設定モードを、手動モードとするか、又は、自動モードとするかの設定は、操作部１４を操作することにより行うことができる。
【００６２】
補正量設定部４２は、A/D変換部１２からの照度データや、操作部１４からの操作信号、表示モード設定部４１からの表示モードに従って、補正量を設定し、最大画素値補正部１７（図１）に供給する。
【００６３】
ここで、補正量設定部４２において、補正量を設定する補正量設定モードとしては、操作部１４からの操作信号に従って補正量を設定する手動モード、表示モード設定部４１からの表示モードに従って固定値の補正量を設定する固定モード、及び、A/D変換部１２からの照度データに従って補正量を設定する可変モードがある。
【００６４】
補正量設定モードを、手動モード、固定モード、及び、可変モードのうちのいずれにするかの設定は、操作部１４を操作することにより行うことができる。
【００６５】
基準発光量設定部４３は、例えば、内蔵するメモリ（図示せず）にあらかじめ記憶された発光量を、基準発光量に設定し、発光量算出部１９（図１）に供給する。
【００６６】
なお、基準発光量設定部４３では、その他、例えば、操作部１４からの操作信号に従って、基準発光量を設定することができる。また、基準発光量設定部４３では、A/D変換部１２からの照度データに従って、基準発光量を設定することができる。
【００６７】
［ヒストグラム生成部１５、最大画素値検出部１６、及び、最大画素値補正部１７の処理］
【００６８】
図３は、図１のヒストグラム生成部１５、最大画素値検出部１６、及び、最大画素値補正部１７の処理を説明する図である。
【００６９】
すなわち、図３は、ヒストグラム生成部１５（図１）が生成する、（表示制御単位の）表示対象画像の画素値のヒストグラムを示している。
【００７０】
図３において、横軸は、画素値を表し、縦軸は、度数を表す。
【００７１】
図３のヒストグラムでは、表示対象画像の画素値の中で、画素値Pmが、最大値になっており、最大画素値検出部１６（図１）では、この画素値Pmが、最大画素値として検出される。
【００７２】
また、図３において、Cpは、制御部１３の補正量設定部４２（図２）で設定された補正量を表している。
【００７３】
最大画素値補正部１７（図１）では、画素値Pmから、補正量Cpが減算され、その結果得られる減算値Pm'が、補正最大画素値として算出される。
【００７４】
なお、図３において、MAXは、表示対象画像の画素値が取り得る値の最大値を表す。
【００７５】
［伸張率特性と発光倍率特性］
【００７６】
図４は、伸張率特性、及び、発光倍率特性を示す図である。
【００７７】
図４において、横軸は、補正最大画素値Pm'を表し、縦軸は、伸張率と発光倍率を表す。
【００７８】
ここで、伸張率は、画像補正部１８（図１）が、画像補正処理として行う、表示対象画像の画素値を伸張する処理において、その画素値を何倍にするかの倍率を表す。
【００７９】
画像補正部１８において、伸張率は、補正最大画素値Pm'に応じて変化する伸張率の特性を表す伸張率特性を用いて算出される。
【００８０】
また、発光倍率は、図１で説明したように、基準発光量に対する光源３２の発光量の割合を表し、発光量算出部１９（図１）において、補正最大画素値Pm'に応じて変化する発光倍率の特性を表す発光倍率特性を用いて算出される。
【００８１】
図４は、表示モードが省電力モードである場合に用いられる伸張率特性、及び、発光倍率特性と、表示モードが視認性向上モードである場合に用いられる伸張率特性、及び、発光倍率特性とを示している。
【００８２】
すなわち、図４Ａは、表示モードが省電力モードである場合に用いられる伸張率特性、及び、発光倍率特性を示しており、図４Ｂは、表示モードが視認性向上モードである場合に用いられる伸張率特性、及び、発光倍率特性を示している。
【００８３】
ここで、表示モードが省電力モードである場合の伸張率特性、及び、発光倍率特性を、それぞれ、伸張率特性#1、及び、発光倍率特性#1ともいい、表示モードが視認性向上モードである場合の伸張率特性、及び、発光倍率特性を、それぞれ、伸張率特性#2、及び、発光倍率特性#2ともいう。
【００８４】
省電力モードの伸張率特性#1（図４Ａ）は、補正最大画素値Pm'の増加に対して単調減少し、かつ、1.0倍より大の値である、例えば、2.0倍を最大値とするとともに、1.0倍を最小とする特性になっている。
【００８５】
すなわち、伸張率特性#1では、補正最大画素値Pm'が、所定の閾値TH1以下（又は未満）の値である場合には、伸張率は、伸張率の最大値である2.0倍という一定値になっている。
【００８６】
さらに、伸張率特性#1では、補正最大画素値Pm'が、所定の閾値TH1より大（以上）の値である場合には、伸張率は、補正最大画素値Pm'に比例して2.0倍から減少する値になっている。
【００８７】
そして、伸張率特性#1では、補正最大画素値Pm'が、画素値として取り得る値の最大値MAXである場合には、伸張率の最小値である1.0倍になっている。
【００８８】
なお、補正最大画素値Pm'（以上の画素値）を伸張率倍に伸張した伸張後の画素値は、画素値として取り得る値の最大値MAXに制限されるので、伸張率特性#1では、伸張率は、補正最大画素値Pm'の伸張後の画素値が、最大値MAX（又は、最大値MAXよりも微小値だけ小さい値）を超えないようになっている。
【００８９】
すなわち、伸張率特性#1では、伸張率が、伸張率の最大値である2.0倍となるときの、補正最大画素値Pm'の閾値TH1が、MAX/2（以下）になっており、これにより、補正最大画素値Pm'が、閾値TH1=MAX/2に等しい場合の、その補正最大画素値Pm'の伸張後の画素値が、最大値MAX(=MAX/2×2.0）を超えないようになっている。
【００９０】
また、伸張率特性#1において、閾値TH1=MAX/2より大の補正最大画素値Pm'に対する伸張率は、MAX/Pm'になっており、これにより、閾値TH1=MAX/2より大の補正最大画素値Pm'の伸張後の画素値が、最大値MAXになるようになっている。
【００９１】
省電力モードの発光倍率特性#1（第１の発光倍率特性）（図４Ａ）は、補正最大画素値Pm'の増加に対して単調増加する特性になっている。
【００９２】
また、発光倍率特性#1では、発光倍率が、伸張率の逆数になっている。
【００９３】
したがって、発光倍率特性#1は、伸張率の最大値の逆数である1/2倍を最小値とするとともに、1.0倍を最大値とする特性になっている。
【００９４】
一方、視認性向上モードの伸張率特性#2（図４Ｂ）は、図４では、省電力モードの伸張率特性#1と同一になっている。
【００９５】
なお、視認性向上モードの伸張率特性#2としては、省電力モードの伸張率特性#1とは異なる特性、すなわち、例えば、伸張率の最大値が、省電力モードの場合よりも大の特性等を採用することができる。
【００９６】
視認性向上モードの発光倍率特性#2（第２の発光倍率特性）（図４Ｂ）は、1.0倍を最小値とする特性になっている。
【００９７】
そして、発光倍率特性#2では、最大値MAXに近い、最大値MAX未満の閾値TH2（＞TH1）以下の補正最大画素値Pm'に対しては、発光倍率が、最小値である1.0倍という一定値になっており、閾値TH2より大の補正最大画素値Pm'に対しては、発光倍率が、1.0倍より大の、補正最大画素値Pm'の増加に対して増加する値になっている。
【００９８】
したがって、発光倍率特性#2は、補正最大画素値Pm'の増加に対して単調増加する特性になっており、その点では、発光倍率特性#1と共通する。
【００９９】
表示モードが省電力モードである場合、画像補正部１８（図１）は、伸張率特性#1に従い、補正最大画素値Pm'に対する伸張率を算出し、その伸張率で、表示対象画像の画素値を伸張する。
【０１００】
すなわち、画像補正部１８は、表示対象画像の画素値を伸張率倍する、画素値の伸張を行う。
【０１０１】
さらに、省電力モードでは、発光量算出部１９（図１）は、発光倍率特性#1に従い、補正最大画素値Pm'に対する発光倍率を算出し、その発光倍率に従って、光源３２の発光量を算出する。
【０１０２】
すなわち、発光量算出部１９は、基準発光量に、発光倍率を乗算して、光源３２の発光量を算出する。
【０１０３】
ここで、発光倍率特性#1では、発光倍率の最大値が1.0倍であるので、省電力モードでは、基準発光量以下の発光量が、光源３２の発光量として算出される。
【０１０４】
一方、表示モードが視認性向上モードである場合、画像補正部１８（図１）は、伸張率特性#2に従い、補正最大画素値Pm'に対する伸張率を算出し、その伸張率で、表示対象画像の画素値を伸張する。
【０１０５】
さらに、視認性向上モードでは、発光量算出部１９（図１）は、発光倍率特性#2に従い、補正最大画素値Pm'に対する発光倍率を算出し、その発光倍率に従って、光源３２の発光量を算出する。
【０１０６】
ここで、発光倍率特性#2では、発光倍率が1.0倍以上になっているので、視認性向上モードでは、基準発光量、又は、基準発光量より大の発光量が、光源３２の発光量として算出される。
【０１０７】
以上のように、表示モードが省電力モードである場合には、画像補正部１８において、伸張率特性#1に従い、補正最大画素値Pm'に応じて、1.0倍以上の伸張率MAX/Pm'（又は、2.0倍）が算出され、その伸張率MAX/Pm'で、表示対象画像を伸張する画像補正処理が行われる。
【０１０８】
さらに、発光量算出部１９において、発光量特性#1に従い、補正最大画素値Pm'に応じて、伸張率MAX/Pm'の逆数が、発光倍率として算出され、その発光倍率を、基準発光量に乗算することで、光源３２の発光量が算出される。
【０１０９】
したがって、省電力モードでは、表示対象画像を伸張して、明るくする（画素値を大にする）とともに、その明るくした分だけ、光源３２の発光量が、基準発光量から低減（暗く）されるので、表示装置３０に表示される表示対象画像の明るさを維持しつつ、消費電力を削減することができる。
【０１１０】
一方、表示モードが視認性向上モードである場合には、画像補正部１８において、伸張率特性#2に従い、補正最大画素値Pm'に応じて、1.0倍以上の伸張率MAX/Pm'（又は、2.0倍）が、省電力モードの場合と同様に算出され、その伸張率MAX/Pm'で、表示対象画像を伸張する画像補正処理が行われる。
【０１１１】
さらに、発光量算出部１９において、発光量特性#2に従い、基本的には（補正最大画素値Pm'が、最大値MAXに近い、閾値TH2以上の値でない限り）、発光倍率として、1.0倍が算出され、その発光倍率を、基準発光量に乗算することで、基準発光量が、光源３２の発光量として算出される。
【０１１２】
したがって、表示対象画像を伸張する画像補正処理によって、光源３２の発光量を、基準発光量より大きくせずに、表示装置３０に表示される表示対象画像の明るさを明るくすることができ、例えば、太陽光等の外光の照度が大の環境等での、表示対象画像の視認性（見やすさ）を、消費電力を増加させることなく、向上させることができる。
【０１１３】
さらに、画像補正部１８は、伸張率特性#1及び#2のうちの、表示モードに対応する伸張率特性に従って、伸張率を算出し、その伸張率で、表示対象画像の画素値を伸張する画像補正処理を行うので、省電力モードの画像補正処理を行うブロックと、視認性向上モードの画像補正処理を行うブロックとを、別個に設ける必要がない。
【０１１４】
すなわち、省電力モードの画像補正処理と、視認性向上モードの画像補正処理とを、１つの画像補正部１８で行うことができる。
【０１１５】
同様に、光源算出部１９は、発光倍率特性#1及び#2のうちの、表示モードに対応する発光倍率特性に従って、発光倍率を算出し、その発光倍率と、基準発光量とを乗算して、光源３２の発光量を求める発光量算出処理を行うので、省電力モードの発光量算出処理を行うブロックと、視認性向上モードの発光量算出処理を行うブロックとを、別個に設ける必要がない。
【０１１６】
すなわち、省電力モードの発光量算出処理と、視認性向上モードの発光量算出処理とを、１つの光源算出部１９で行うことができる。
【０１１７】
なお、表示モードが視認性向上モードである場合において、補正最大画素値Pm'が、最大値MAXに近い値である場合には、伸張率特性#2に従って算出される伸張率MAX/Pm'は、1.0倍に近い値となるため、画像補正処理によっては、表示装置３０に表示される表示対象画像の明るさを、画像補正処理を行わない場合の明るさに対して、ほとんど明るくすることができない。
【０１１８】
そこで、視認性向上モードでは、補正最大画素値Pm'が、最大値MAXに近い、閾値TH2以上の値である場合には、発光量算出部１９において、閾値TH2以上の補正最大画素値Pm'については、発光倍率が、1.0倍より大の、補正最大画素値Pm'の増加に対して増加する値になる発光倍率特性#2に従って、1.0倍より大の発光倍率が算出され、その発光倍率を、基準発光量に乗算することで、基準発光量より大の発光量が、光源３２の発光量として算出される。
【０１１９】
以上のように、補正最大画素値Pm'が、最大値MAXに近い値である場合には、基準発光量より大の発光量が、光源３２の発光量として算出されることで、表示装置３０に表示される表示対象画像の明るさを明るくすることができ、表示対象画像の視認性を向上させることができる。
【０１２０】
［画像補正処理としての画素値の伸張］
【０１２１】
図５は、図１の画像補正部１８が画像補正処理として行う画素値の伸張を説明する図である。
【０１２２】
ここで、画像補正部１８が画像補正処理の対象とする、表示対象画像の画素値を、入力画素値ともいい、画像補正処理後の画素値を、出力画素値ともいう。
【０１２３】
図５は、画像補正処理として、画素値の伸張のみを行う場合の、入力画素値と出力画素値との関係（以下、入出力特性ともいう）を示している。
【０１２４】
なお、以下では、説明を簡単にするため、特に断らない限り、補正最大画素値Pm'が、閾値TH1=MAX/2より大であるとし、したがって、伸張率特性#1（や、伸張率特性#2）に従って算出される伸張率が、図４で説明したように、MAX/Pm'であるとする。
【０１２５】
図５において、MAX/Pm'倍伸張入出力特性は、入力画素値を伸張率MAX/Pm'倍する伸張の入出力特性を示している。
【０１２６】
なお、図５には、参考として、入力画素値を1.0倍する伸張、つまり、入力画素値を、そのまま、出力画素値とする場合の入出力特性である１倍伸張入出力特性、及び、入力画素値をMAX/Pm倍する伸張の入出力特性である通常伸張入出力特性も示してある。
【０１２７】
画像補正部１８が画像補正処理として行う画素値の伸張の伸張率は、上述したように、MAX/Pm'であり、MAX/Pm'倍伸張入出力特性は、伸張率MAX/Pm'での伸張を行う画像補正処理の入出力特性を表す。
【０１２８】
一方、表示対象画像の画素値の伸張を、その伸張後の画素値（出力画素値）が、飽和しないように、つまり、画素値として取り得る値の最大値MAXを超えないように行うには、伸張率を、MAX/Pm倍以下とする必要がある。
【０１２９】
したがって、画素値の伸張を、出力画素値が飽和しないように行う場合の伸張率の最大値は、MAX/Pm倍であり、この伸張率MAX/Pm倍だけの伸張を、通常伸張ということとすると、通常伸張入出力特性は、通常伸張の入出力特性を表す。
【０１３０】
ここで、補正後最大画素値Pm'は、最大画素値Pmよりも小さい値であるため、伸張率MAX/Pm'は、伸張率MAX/Pmより大となる。
【０１３１】
したがって、入力画素値がMAX/Pm'倍に伸張される、MAX/Pm'倍伸張入出力特性に従った伸張、つまり、画像補正部１８（図１）が画像補正処理として行う伸張によれば、入力画素値がMAX/Pm倍に伸張される、通常伸張入出力特性に従った伸張（通常伸張）よりも、表示対象画像の画素値（出力画素値）は、大になる。
【０１３２】
以上のように、画像補正部１８（図１）が画像補正処理として行う伸張では、通常伸張の場合よりも、伸張率が大であるため、その伸張率の逆数が、発光倍率として算出される省電力モードにおいて、光源３２の発光量が、通常伸張の場合よりも、より低減され、その結果、消費電力を、通常伸張の場合よりも削減することができる。
【０１３３】
さらに、視認性向上モードでは、通常伸張の場合よりも、表示装置３０に表示される表示対象画像の明るさが明るくなるので（明るさ感が増すので）、視認性を、通常伸張の場合よりも向上させることができる。
【０１３４】
なお、表示装置３０に表示される表示対象画像の視認性は、表示対象画像の画素値を伸張せずに、光源３２の発光量を基準発光量より大にすること、すなわち、発光倍率を、1.0より大にすることだけによっても、向上させることができる。
【０１３５】
しかしながら、発光倍率を、1.0より大にする場合には、消費電力が増加する。
【０１３６】
これに対して、視認性向上モードでは、表示対象画像の画素値を伸張し、補正最大画素値Pm'が、最大値MAXに近い、閾値TH2以上の値である場合にのみ、発光倍率が、1.0倍より大の値とされるだけで、それ以外の場合、つまり、補正最大画素値Pm'が、閾値TH2未満である場合には、発光倍率が、1.0倍とされるので、表示対象画像の伸張を行わずに、発光倍率を、1.0より大にすることだけによって、視認性を向上させる場合よりも、消費電力を削減することができる。
【０１３７】
［制御処理］
【０１３８】
図６は、図２の制御部１３が行う処理（制御処理）を説明するフローチャートである。
【０１３９】
制御部１３（図２）では、ステップＳ１１において、基準発光量設定部４３は、基準発光量に設定し、発光量算出部１９（図１）に供給して、処理は、ステップＳ１２に進む。
【０１４０】
ステップＳ１２では、表示モード設定部４１は、A/D変換部１２からの照度データや、操作部１４からの操作信号に従って、表示モードを設定し、補正量設定部４２に供給するとともに、画像補正部１８、及び、発光量算出部１９（図１）に供給して、処理は、ステップＳ１３に進む。
【０１４１】
ステップＳ１３では、補正量設定部４２は、A/D変換部１２からの照度データや、操作部１４からの操作信号、表示モード設定部４１からの表示モードに従って、補正量を設定し、最大画素値補正部１７（図１）に供給する。
【０１４２】
そして、処理は、ステップＳ１１に戻り、以下、同様の処理が繰り返される。
【０１４３】
なお、基準発光量、表示モード、及び、補正量の設定は、例えば、表示対象画像の表示制御単位を最小単位として行われる。
【０１４４】
［補正最大画素値算出処理］
【０１４５】
図７は、図１のヒストグラム生成部１５、最大画素値検出部１６、及び、最大画素値補正部１７が行う処理（補正最大画素値算出処理）を説明するフローチャートである。
【０１４６】
なお、以下では、説明を簡単にするために、表示対象画像の表示制御単位として、１フレームを採用することとする。
【０１４７】
ステップＳ２１において、最大画素値補正部１７は、制御部１３から、補正量が供給されたかどうかを判定し、補正量が供給されていないと判定された場合、処理は、ステップＳ２２をスキップして、ステップＳ２３に進む。
【０１４８】
また、ステップＳ２１において、制御部１３から、補正量が供給されたと判定された場合、処理は、ステップＳ２２に進み、最大画素値補正部１７は、内蔵するメモリ（図示せず）に、制御部１３からの補正量を上書きする形で記憶して、処理は、ステップＳ２３に進む。
【０１４９】
ステップＳ２３では、ヒストグラム生成部１５が、表示制御単位である１フレームの表示対象画像（のデータ）が、新たに供給されたかどうかを判定し、まだ、１フレームの表示対象画像が供給されていないと判定された場合、処理は、ステップＳ２１に戻る。
【０１５０】
また、ステップＳ２３において、１フレームの表示対象画像が供給されたと判定された場合、処理は、ステップＳ２４に進み、ヒストグラム生成部１５は、新たに供給された１フレームの表示対象画像の画素値のヒストグラムを生成する。
【０１５１】
さらに、ヒストグラム生成部１５は、表示対象画像の画素値のヒストグラムを、最大画素値検出部１６に供給して、処理は、ステップＳ２４からステップＳ２５に進む。
【０１５２】
ステップＳ２５では、最大画素値検出部１６は、ヒストグラム生成部１５からのヒストグラムに基づき、表示対象画像の画素値から、最大画素値Pmを検出し、最大画素値補正部１７に供給して、処理は、ステップＳ２６に進む。
【０１５３】
ステップＳ２６では、最大画素値補正部１７は、最大画素値検出部１６からの最大画素値を、ステップＳ２２で記憶した最新の補正量に従って補正し、補正最大画素値Pm'を算出する。
【０１５４】
そして、最大画素値補正部１７は、補正最大画素値を、画像補正部１８、及び、発光量算出部１９に供給して、処理は、ステップＳ２１に戻り、以下、同様の処理が繰り返される。
【０１５５】
［画像補正処理］
【０１５６】
図８は、図１の画像補正部１８が行う画像補正処理を説明するフローチャートである。
【０１５７】
画像補正部１８は、ステップＳ３１において、制御部１３からの最新の表示モードに従って、その表示モードに対応する伸張率特性を選択して、処理は、ステップＳ３２に進む。
【０１５８】
すなわち、画像補正部１８は、表示モードが省電力モードである場合には、伸張率特性#1（図４Ａ）を、表示モードに対応する伸張率特性として選択し、表示モードが視認性向上モードである場合には、伸張率特性#2（図４Ｂ）を、表示モードに対応する伸張率特性として選択する。
【０１５９】
なお、図４で説明したように、伸張率特性#1及び#2として、同一の特性を採用する場合には、ステップＳ３１の伸張率特性を選択する処理は、省略することができる。
【０１６０】
ステップＳ３２では、画像補正部１８は、表示モードに対応する伸張率特性に従い、最大画素値補正部１７からの補正最大画素値Pm'に応じて、その補正最大画素値Pm'に対する伸張率を算出し、処理は、ステップＳ３３に進む。
【０１６１】
ステップＳ３３では、画像補正部１８は、ヒストグラム生成部１５でヒストグラムが生成された表示対象画像のフレームであって、まだ、画像補正処理を行っていない、時間的に最も先行するフレームを、注目する注目フレームとして、注目フレームの画素値を、補正最大画素値Pm'に対する伸張率に従って伸張する伸張を行う。
【０１６２】
ここで、注目フレームの伸張前の画素値を、入力画素値というとともに、注目フレームの伸張後の画素値を、出力画素値ということとすると、注目フレームの画素値を伸張する画像補正処理は、入力画素値を出力画素値に変換する画像変換処理ということができる。
【０１６３】
その後、処理は、ステップＳ３３からステップＳ３４に進み、画像補正部１８は、画像変換処理後の注目フレームの輪郭強調を、表示モードに対応する輪郭強調度で行う処理を行う。
【０１６４】
そして、画像補正部１８は、輪郭強調後の表示対象画像を、表示パネル３３に供給し、処理は、ステップＳ３４からステップＳ３１に戻って、以下、同様の処理が繰り返される。
【０１６５】
ここで、輪郭強調度とは、輪郭強調において、輪郭を強調する度合いを表す。
【０１６６】
例えば、輪郭強調度として、輪郭を強調する度合いの弱い順に、「弱」、「中」、及び、「強」の３通りが用意されていることとすると、表示モードに対応する輪郭強調度としては、表示モードが省電力モードである場合には、例えば、「弱」や「中」が採用され、表示モードが視認性向上モードである場合には、例えば、「強」が採用される。
【０１６７】
したがって、視認性向上モードでは、省電力モードの場合よりも、輪郭強調度が強くされ、輪郭強調において、輪郭が、より強調される。
【０１６８】
なお、「弱」や「中」の輪郭強調度として、一般のTV（テレビジョン受像機）で行われる輪郭強調の輪郭強調度を採用し、その輪郭強調度を、通常の輪郭強調度ということとすると、視認性向上モードでは、通常の輪郭強調度よりも強い輪郭強調度で、輪郭強調が行われることになる。
【０１６９】
したがって、視認性向上モードでは、例えば、エッジ等が、一般のTVに比較して、過剰に強く強調された表示対象画像が表示される。
【０１７０】
しかしながら、視認性向上モードでは、画質よりも、太陽光等の強い外光が照射される環境において、表示装置３０に表示される表示対象画像を、明確に見ることができる視認性が重要である。
【０１７１】
このため、視認性向上モードでは、画像補正部１８において、画像補正処理として、表示対象画像の伸張の他、通常の輪郭強調度よりも強い輪郭強調度での輪郭強調を行い、これにより、表示装置３０において、明るく、鮮やかでくっきりとした表示対象画像が表示されるようにすることで、視認性を改善する。
【０１７２】
なお、画像補正部１８において輪郭強調を行うときの輪郭強調度は、その他、例えば、制御部１３において、操作部１４の操作に従って設定し、画像補正部１８に供給することが可能である。
【０１７３】
［発光量算出処理］
【０１７４】
図９は、図１の発光量算出部１９が行う発光量算出処理を説明するフローチャートである。
【０１７５】
発光量算出部１９は、ステップＳ４１において、制御部１３からの最新の表示モードに従って、その表示モードに対応する発光倍率特性を選択して、処理は、ステップＳ４２に進む。
【０１７６】
すなわち、発光量算出部１９は、表示モードが省電力モードである場合には、発光倍率特性#1（図４Ａ）を、表示モードに対応する発光倍率特性として選択し、表示モードが視認性向上モードである場合には、発光倍率特性#2（図４Ｂ）を、表示モードに対応する発光倍率特性として選択する。
【０１７７】
ステップＳ４２では、発光量算出部１９は、表示モードに対応する発光倍率特性に従い、最大画素値補正部１７からの補正最大画素値Pm'に応じて、その補正最大画素値Pm'に対する発光倍率を算出し、処理は、ステップＳ４３に進む。
【０１７８】
ステップＳ４３では、発光量算出部１９は、制御部１３からの最新の基準発光量と、発光倍率とを乗算することにより、注目フレームの表示に用いる光源３２の発光量を算出し、その発光量を表す発光量情報を、光源駆動部３１に供給する。
【０１７９】
その後、処理は、ステップＳ４３からステップＳ４１に戻り、以下、同様の処理が繰り返される。
【０１８０】
［画像補正処理としての画素値の伸張、及び、階調補正］
【０１８１】
図１０は、図１の画像補正部１８が画像補正処理として行う画素値の伸張、及び、階調補正を説明する図である。
【０１８２】
画像補正部１８が画像補正処理として行う画素値の伸張では、図５で説明したように、最大画素値Pmではなく、最大画素値Pmより小さい補正最大画素値Pm'に応じて、画素値（入力画素値）が、通常伸張の場合よりも大の伸張率MAX/Pm'で伸張されるので、消費電力を、通常伸張の場合より削減すること、及び、視認性を、通常伸張の場合よりも向上させることができる。
【０１８３】
しかしながら、表示対象画像の画素値を、通常伸張の場合よりも大の伸張率MAX/Pm'で伸張するだけでは、伸張後の画素値（出力画素値）は、画素値として取り得る値の最大値MAXに制限されるため、表示対象画像の画素値のうちの、補正最大画素値Pm'から最大画素値Pmまでの画素値は、伸張後に、すべて飽和し、すなわち、最大値MAXとなり、表示装置３０に表示される表示対象画像（以下、表示画像ともいう）には、いわゆる白つぶれの部分が生じる。
【０１８４】
そこで、このような白つぶれが生じるのを防止するために、画像補正部１８では、画像補正処理（のうちの画像変換処理）として、画素値の伸張の他、階調補正を行うことができる。
【０１８５】
ここで、表示対象画像の伸張、及び、階調補正を行う前の画素値を、入力画素値というとともに、表示対象画像の伸張、及び、階調補正後の画素値を、出力画素値ということとすると、表示対象画像の伸張、及び、階調補正を行う画像補正処理は、入力画素値を出力画素値に変換する画像変換処理ということができる。
【０１８６】
図１０は、表示対象画像の伸張、及び、階調補正を行う画像変換処理の入出力特性である伸張階調変換入出力特性を示している。
【０１８７】
なお、図１０には、図５に示したMAX/Pm'倍伸張入出力特性、通常伸張入出力特性、及び、１倍伸張入出力特性も示してある。
【０１８８】
伸張階調変換入出力特性によれば、表示対象画像の画素値の、伸張率MAX/Pm'での伸張と、その伸張による補正最大画素値Pm'から最大画素値Pmまでの画素値の飽和を抑制する階調補正とが行われる。
【０１８９】
したがって、表示対象画像の、補正最大画素値Pm'から最大画素値Pmまでの画素値が飽和することによって、表示画像に白つぶれが生じること（表示対象画像が破綻すること）を防止することができる。
【０１９０】
その結果、画像補正処理、及び、光量算出処理を行わずに表示対象画像を表示する場合と同等の画質の表示画像を表示することができる。
【０１９１】
なお、画像補正部１８において、伸張階調変換入出力特性に従った画像変換処理、すなわち、表示対象画像の画素値の、伸張率MAX/Pm'での伸張と、その伸張による補正最大画素値Pm'から最大画素値Pmまでの画素値の飽和を抑制する階調補正とを、画像補正処理として行う場合には、最大画素値補正部１７は、補正最大画素値Pm'の他、最大画素値検出部１６からの最大画素値Pm（又は、補正最大画素値とともに用いて、最大画素値を求めることができる情報である補正量）を、画像補正部１８に供給する。
【０１９２】
画像補正部１８では、最大画素値補正部１７からの補正最大画素値Pm'、及び、最大画素値Pmを用いて、伸張階調変換入出力特性が求められ、その伸張階調変換入出力特性に従った画像変換処理が行われる。
【０１９３】
伸張階調変換入出力特性としては、例えば、２次関数を採用することができる。
【０１９４】
すなわち、入力画素値をx軸とするとともに、出力画素値をy軸とする２次元平面において、点（Pm,MAX)を頂点とし、MAX/Pm'倍伸張入出力特性を表す直線と接する、上に凸の２次関数を、伸張階調変換入出力特性として採用することができる。
【０１９５】
なお、伸張と階調補正とが行われる伸張階調変換入出力特性は、伸張のみが行われるMAX/Pm'倍伸張入出力特性との比較では、そのMAX/Pm'倍伸張入出力特性に従った伸張による、補正最大画素値Pm'から最大画素値Pmまでの画素値の飽和を抑制する特性になっているが、通常伸張入出力特性に従った通常伸張との比較では、表示対象画像の階調を、いわゆる持ち上げる特性になっている。
【０１９６】
以上のように、画像補正部１８（図１）が、伸張階調変換入出力特性に従った画像変換処理を行う場合には、白つぶれを防止しつつ、消費電力を、通常伸張の場合より削減するとともに、視認性を、通常伸張の場合よりも向上させることができる。
【０１９７】
［画像補正処理］
【０１９８】
図１１は、伸張階調変換入出力特性に従った画像変換処理を含む画像補正処理を説明するフローチャートである。
【０１９９】
画像補正部１８は、ステップＳ５１において、図８のステップＳ３１の場合と同様に、制御部１３からの最新の表示モードに従って、その表示モードに対応する伸張率特性を選択して、処理は、ステップＳ５２に進む。
【０２００】
ステップＳ５２では、画像補正部１８は、図８のステップＳ３２の場合と同様に、表示モードに対応する伸張率特性に従い、最大画素値補正部１７からの補正最大画素値Pm'に応じて、その補正最大画素値Pm'に対する伸張率を算出し、処理は、ステップＳ５３に進む。
【０２０１】
ステップＳ５３では、画像補正部１８は、伸張階調変換入出力特性、つまり、補正最大画素値Pm'に対する伸張率での伸張と、その伸張による画素値の飽和を抑制する階調補正とを行う画像変換処理の入出力特性を、最大画素値補正部１７からの補正最大画素値Pm'、及び、最大画素値Pmに基づいて算出し、処理は、ステップＳ５４に進む。
【０２０２】
ステップＳ５４では、画像補正部１８は、注目フレームの画素値の伸張と階調補正とを、伸張階調変換入出力特性に従って行う画像変換処理を行う。
【０２０３】
その後、処理は、ステップＳ５４からステップＳ５５に進み、画像補正部１８は、画像変換処理後の注目フレームの輪郭強調を、表示モードに対応する輪郭強調度で行う処理を行う。
【０２０４】
そして、画像補正部１８は、輪郭強調後の表示対象画像を、表示パネル３３に供給し、処理は、ステップＳ５５からステップＳ５１に戻って、以下、同様の処理が繰り返される。
【０２０５】
［表示モードの設定］
【０２０６】
図１２は、図２の表示モード設定部４１が行う表示モードの設定の処理を説明するフローチャートである。
【０２０７】
ステップＳ６１において、表示モード設定部４１は、表示モード設定モードが、図２で説明した手動モード及び自動モードのうちのいずれに設定されているかを判定する。
【０２０８】
ステップＳ６１において、表示モード設定モードが手動モードであると判定された場合、処理は、ステップＳ６２に進み、表示モード設定部４１は、操作部１４が、表示モードを省電力モード又は視認性向上モードとするように操作されたかどうかを判定する。
【０２０９】
ここで、表示モードを省電力モードとする操作部１４の操作を、省電力モード操作ともいい、表示モードを視認性向上モードとする操作部１４の操作を、視認性向上モード操作ともいう。
【０２１０】
ステップＳ６２において、省電力モード操作、及び、視認性向上モード操作のいずれも行われていないと判定された場合、処理は、ステップＳ６１に戻る。
【０２１１】
また、ステップＳ６２において、省電力モード操作、又は、視認性向上モード操作がされたと判定された場合、処理は、ステップＳ６３、又は、Ｓ６４に進み、表示オード設定部４１は、表示モードを、操作部１４の操作に従って設定し、処理は、ステップＳ６１に戻る。
【０２１２】
すなわち、ステップＳ６２において、省電力モード操作がされたと判定された場合、処理は、ステップＳ６３に進み、表示オード設定部４１は、表示モードを、省電力モードに設定する。
【０２１３】
また、ステップＳ６２において、視認性向上モード操作がされたと判定された場合、処理は、ステップＳ６４に進み、表示オード設定部４１は、表示モードを、視認性向上モードに設定する。
【０２１４】
一方、ステップＳ６１において、表示モード設定モードが自動モードであると判定された場合、処理は、ステップＳ６５に進み、表示モード設定部４１は、A/D変換部１２からの照度データが表す外光の照度が、表示モードを切り替えるモード切替閾値以上であるかどうかを判定する。
【０２１５】
ここで、モード切替閾値は、例えば、制御部１３のメモリ１３Ｂに、あらかじめ記憶されている。
【０２１６】
ステップＳ６５において、外光の照度が、モード切替閾値以上でないと判定された場合、すなわち、表示装置３０での表示対象画像の表示が行われる環境が、例えば、室内等の、それほど明るくない環境である場合、処理は、ステップＳ６３に進み、表示オード設定部４１は、表示モードを、省電力モードに設定し、処理は、ステップＳ６１に戻る。
【０２１７】
また、ステップＳ６５において、外光の照度が、モード切替閾値以上であると判定された場合、すなわち、表示装置３０での表示対象画像の表示が行われる環境が、例えば、快晴の日向等の、明るい環境である場合、処理は、ステップＳ６４に進み、表示オード設定部４１は、表示モードを、視認性向上モードに設定し、処理は、ステップＳ６１に戻る。
【０２１８】
以上のように、表示モード設定モードが手動モードである場合には、ユーザは、操作部１４を操作することにより、表示モードを選択することができる。
【０２１９】
また、表示モード設定モードが自動モードである場合には、外光の照度に応じて、視認性に問題がない、それほど明るくない環境では、省電力モードが設定され、視認性が劣化する、明るい環境では、視認性向上モードが設定される。
【０２２０】
その結果、視認性に問題がない、それほど明るくない環境では、消費電力を削減することができ、視認性が劣化する、明るい環境では、視認性を向上させることができる。
【０２２１】
［補正量の設定］
【０２２２】
図１３は、図２の補正量設定部４２が行う補正量の設定の処理を説明するフローチャートである。
【０２２３】
ステップＳ７１において、補正量設定部４２は、補正量設定モードが、図２で説明した手動モード、固定モード、及び、可変モードのうちのいずれに設定されているかを判定する。
【０２２４】
ステップＳ７１において、補正量設定モードが、操作部１４からの操作信号に従って補正量を設定する手動モードであると判定された場合、処理は、ステップＳ７２に進み、補正量設定部４２は、操作部１４の操作に応じて、補正量を設定し、処理は、ステップＳ７１に戻る。
【０２２５】
また、ステップＳ７１において、補正量設定モードが、表示モードに従って固定値の補正量を設定する固定モードであると判定された場合、処理は、ステップＳ７３に進み、補正量設定部４２は、表示モード設定モードが、手動モード及び自動モードのうちのいずれに設定されているかを判定する。
【０２２６】
ステップＳ７３において、表示モード設定モードが、自動モードであると判定された場合、処理は、ステップＳ７４に進み、補正量設定部４２は、後述するように、表示モードに応じて、固定値の補正量を設定し、処理は、ステップＳ７１に戻る。
【０２２７】
また、ステップＳ７３において、表示モード設定モードが、手動モードであると判定された場合、処理は、ステップＳ７５に進み、補正量設定部４２は、表示モードが、省電力モード、及び、視認性向上モードのうちのいずれに設定されているかを判定する。
【０２２８】
ステップＳ７５において、表示モードが、省電力モードであると判定された場合、処理は、ステップＳ７６に進み、補正量設定部４２は、後述するように、補正量を、省電力モード用の固定値に設定し、処理は、ステップＳ７１に戻る。
【０２２９】
また、ステップＳ７５において、表示モードが、視認性向上モードであると判定された場合、処理は、ステップＳ７７に進み、補正量設定部４２は、後述するように、補正量を、視認性向上モード用の固定値に設定し、処理は、ステップＳ７１に戻る。
【０２３０】
一方、ステップＳ７１において、補正量設定モードが、外光の照度に従って補正量を設定する可変モードであると判定された場合、処理は、ステップＳ７８に進み、補正量設定部４２は、表示モード設定モードが、手動モード及び自動モードのうちのいずれに設定されているかを判定する。
【０２３１】
ステップＳ７８において、表示モード設定モードが、自動モードであると判定された場合、処理は、ステップＳ７９に進み、補正量設定部４２は、後述するように、照度と補正量との関係を表す補正量特性であって、表示モード設定モードが自動モードである場合に用いる補正量特性である自動モード用の補正量特性に従い、A/D変換部１２からの照度データが表す照度に対する補正量を設定し、処理は、ステップＳ７１に戻る。
【０２３２】
また、ステップＳ７８において、表示モード設定モードが、手動モードであると判定された場合、処理は、ステップＳ８０に進み、補正量設定部４２は、表示モードが、省電力モード、及び、視認性向上モードのうちのいずれに設定されているかを判定する。
【０２３３】
ステップＳ８０において、表示モードが、省電力モードであると判定された場合、処理は、ステップＳ８１に進み、補正量設定部４２は、後述するように、表示モードが省電力モードである場合に用いる補正量特性である省電力モード用の補正量特性に従い、A/D変換部１２からの照度データが表す照度に対する補正量を設定し、処理は、ステップＳ７１に戻る。
【０２３４】
また、ステップＳ８０において、表示モードが、視認性向上モードであると判定された場合、処理は、ステップＳ８２に進み、補正量設定部４２は、後述するように、表示モードが視認性向上モードである場合に用いる補正量特性である視認性向上モード用の補正量特性に従い、A/D変換部１２からの照度データが表す照度に対する補正量を設定し、処理は、ステップＳ７１に戻る。
【０２３５】
図１４は、A/D変換部１２から補正量設定部４２に供給される照度データが表す照度と、補正量設定部４２が設定する補正量との関係を表す補正量特性を示す図である。
【０２３６】
すなわち、図１４Ａは、補正量設定部４２が、図１３のステップＳ７４で、表示モードに応じて、補正量を設定する場合の補正量特性#1を示している。
【０２３７】
補正量特性#1によれば、照度が、モード切替閾値未満であり、したがって、表示モード設定モードが自動モードに設定されている場合において、表示モードが、省電力モードに設定されているときには、補正量として、所定の小さい値である、省電力モード用の固定値V1が設定される。
【０２３８】
また、補正量特性#1によれば、照度が、モード切替閾値以上であり、したがって、表示モード設定モードが自動モードに設定されている場合において、表示モードが、視認性向上モードに設定されているときには、補正量として、省電力モード用の固定値V1より大きい、視認性向上モード用の固定値V2が設定される。
【０２３９】
以上のように、省電力モードでは、補正量として、小さい値が設定され、視認性向上モードでは、補正量として、省電力モードの場合よりも大きい値が設定される。
【０２４０】
補正量が大きい場合、補正最大画素値Pm'は小さくなり、伸張率特性（図４）に従って算出される、補正最大画素値Pm'に対する伸張率は、大になる。
【０２４１】
したがって、視認性向上モードでは、省電力モードの場合よりも、大きな伸張率で、表示対象画像が伸張される。
【０２４２】
その結果、表示装置３０に表示される表示対象画像（表示画像）は、より明るい画像となり、視認性を向上させることができる。
【０２４３】
図１４Ｂは、補正量設定部４２が、図１３のステップＳ７６で、補正量を、省電力モード用の固定値V1に設定する場合の補正量特性#2を示している。
【０２４４】
補正量特性#2によれば、補正量は、照度に関係なく、省電力モード用の固定値V1に設定される。
【０２４５】
図１４Ｃは、補正量設定部４２が、図１３のステップＳ７７で、補正量を、視認性向上モード用の固定値V2に設定する場合の補正量特性#3を示している。
【０２４６】
補正量特性#3によれば、補正量は、照度に関係なく、視認性向上モード用の固定値V2に設定される。
【０２４７】
図１４Ｄは、補正量設定部４２が、図１３のステップＳ７９で、補正量の設定に用いる自動モード用の補正量特性としての補正量特性#4を示している。
【０２４８】
補正量特性#4は、照度が、モード切替閾値未満である場合には、照度の増加に対して、固定値V1から、その固定値V1より大で、固定値V2より小の値V0'まで単調増加する特性になっており、照度が、モード切替閾値以上である場合には、照度の増加に対して、値V0'より大で、固定値V2より小の値V3'から、固定値V3まで単調増加する特性になっている。
【０２４９】
図１４Ｅは、補正量設定部４２が、図１３のステップＳ８１で、補正量の設定に用いる省電力モード用の補正量特性としての補正量特性#5を示している。
【０２５０】
補正量特性#5は、照度の増加に対して、固定値V1から、単調増加する特性になっている。
【０２５１】
したがって、補正量特性#5によれば、照度が大であるほど、大きな値の補正量が設定される。
【０２５２】
なお、補正量特性#5において、照度が、モード切替閾値に等しい場合の補正量は、図１４Ｄの補正量特性#4で説明した値V0'になっている。
【０２５３】
図１４Ｆは、補正量設定部４２が、図１３のステップＳ８２で、補正量の設定に用いる視認性向上モード用の補正量特性としての補正量特性#6を示している。
【０２５４】
補正量特性#6は、照度の増加に対して、固定値V3まで、単調増加する特性になっている。
【０２５５】
したがって、補正量特性#6によれば、照度が大であるほど、大きな値の補正量が設定される。
【０２５６】
なお、補正量特性#6において、照度が、モード切替閾値に等しい場合の補正量は、図１４Ｄの補正量特性#4で説明した値V3'になっている。
【０２５７】
また、図１４Ｄの自動モード用の補正量特性#4は、モード切替閾値未満の照度については、図１４Ｅの省電力モード用の補正量特性#5に一致し、モード切替閾値以上の照度については、視認性向上モード用の補正量特性#6に一致している。
【０２５８】
［色信号の伸張率］
【０２５９】
図１５は、補正量設定モード、表示モード設定モード、及び、表示モードと、補正量、発光倍率、輪郭強調度、及び、色信号の伸張率との関係を示す図である。
【０２６０】
ここで、表示対象画像の画素値が、複数の信号を成分として有する場合には、その複数の信号それぞれについて、別個に、補正最大画素値を算出し、その補正最大画素値に応じて、画像補正処理を行うことができる。
【０２６１】
すなわち、表示対象画像の画素値が、複数の成分として、例えば、輝度信号と色信号とを有する場合には、輝度信号について、画像補正処理を行うとともに、色再現性を保つために、輝度信号とは別個（独立）に、色信号について、画像補正処理を行うことができる。
【０２６２】
但し、色信号については、色信号の画像補正処理として、輝度信号について算出した伸張率を利用した伸張だけを行うことができる。
【０２６３】
図１５は、表示対象画像の画素値が、輝度信号と色信号とを、成分として有する場合の、補正量設定モード、表示モード設定モード、及び、表示モードと、補正量、発光倍率、輪郭強調度、及び、色信号の伸張率との関係を示している。
【０２６４】
補正量設定モードが固定モードに、表示モード設定モードが自動モードに、表示モードが省電力モードに、それぞれ設定されている場合、輝度信号の補正量は、図１４Ａの補正量特性#1に従って算出される。そして、輝度信号の伸張率としては、伸張率特性#1（図４）に従い、輝度信号の補正量から算出される補正最大画素値（輝度信号）に対する伸張率が算出される。
【０２６５】
また、発光倍率は、発光倍率特性#1（図４）に従って算出され、輪郭強調度は、「弱」、又は、「中」（通常の輪郭強調度）とされる。
【０２６６】
さらに、色信号の伸張率としては、輝度信号の伸張率が設定され、画像補正部１８において、輝度信号、及び、色信号それぞれについて、画像補正処理が行われる。すなわち、輝度信号、及び、色信号の伸張、輝度信号の階調補正、並びに、輪郭強調が行われる。
【０２６７】
補正量設定モードが固定モードに、表示モード設定モードが自動モードに、表示モードが視認性向上モードに、それぞれ設定されている場合、輝度信号の補正量は、図１４Ａの補正量特性#1に従って算出される。そして、輝度信号の伸張率としては、伸張率特性#2（図４）に従い、輝度信号の補正量から算出される補正最大画素値に対する伸張率が算出される。
【０２６８】
また、発光倍率は、発光倍率特性#2（図４）に従って算出され、輪郭強調度は、「強」とされる。
【０２６９】
さらに、色信号の伸張率としては、輝度信号の伸張率に、あからじめ設定された所定のマージンを加算した値が設定され、画像補正部１８において、輝度信号、及び、色信号それぞれについて、画像補正処理が行われる。
【０２７０】
補正量設定モードが固定モードに、表示モード設定モードが手動モードに、表示モードが省電力モードに、それぞれ設定されている場合、輝度信号の補正量は、図１４Ｂの補正量特性#2に従って算出される。そして、輝度信号の伸張率としては、伸張率特性#1（図４）に従い、輝度信号の補正量から算出される補正最大画素値に対する伸張率が算出される。
【０２７１】
また、発光倍率は、発光倍率特性#1（図４）に従って算出され、輪郭強調度は、「弱」、又は、「中」とされる。
【０２７２】
さらに、色信号の伸張率としては、輝度信号の伸張率が設定され、画像補正部１８において、輝度信号、及び、色信号それぞれについて、画像補正処理が行われる。
【０２７３】
補正量設定モードが固定モードに、表示モード設定モードが手動モードに、表示モードが視認性向上モードに、それぞれ設定されている場合、輝度信号の補正量は、図１４Ｃの補正量特性#3に従って算出される。そして、輝度信号の伸張率としては、伸張率特性#2（図４）に従い、輝度信号の補正量から算出される補正最大画素値に対する伸張率が算出される。
【０２７４】
また、発光倍率は、発光倍率特性#2（図４）に従って算出され、輪郭強調度は、「強」とされる。
【０２７５】
さらに、色信号の伸張率としては、輝度信号の伸張率に所定のマージンを加算した値が設定され、画像補正部１８において、輝度信号、及び、色信号それぞれについて、画像補正処理が行われる。
【０２７６】
補正量設定モードが可変モードに、表示モード設定モードが自動モードに、表示モードが省電力モードに、それぞれ設定されている場合、輝度信号の補正量は、図１４Ｄの補正量特性#4に従って算出される。そして、輝度信号の伸張率としては、伸張率特性#1（図４）に従い、輝度信号の補正量から算出される補正最大画素値（輝度信号）に対する伸張率が算出される。
【０２７７】
また、発光倍率は、発光倍率特性#1（図４）に従って算出され、輪郭強調度は、「弱」、又は、「中」とされる。
【０２７８】
さらに、色信号の伸張率としては、輝度信号の伸張率が設定され、画像補正部１８において、輝度信号、及び、色信号それぞれについて、画像補正処理が行われる。
【０２７９】
補正量設定モードが可変モードに、表示モード設定モードが自動モードに、表示モードが視認性向上モードに、それぞれ設定されている場合、輝度信号の補正量は、図１４Ｄの補正量特性#4に従って算出される。そして、輝度信号の伸張率としては、伸張率特性#2（図４）に従い、輝度信号の補正量から算出される補正最大画素値に対する伸張率が算出される。
【０２８０】
また、発光倍率は、発光倍率特性#2（図４）に従って算出され、輪郭強調度は、「強」とされる。
【０２８１】
さらに、色信号の伸張率としては、輝度信号の伸張率に所定のマージンを加算した値が設定され、画像補正部１８において、輝度信号、及び、色信号それぞれについて、画像補正処理が行われる。
【０２８２】
補正量設定モードが可変モードに、表示モード設定モードが手動モードに、表示モードが省電力モードに、それぞれ設定されている場合、輝度信号の補正量は、図１４Ｅの補正量特性#5に従って算出される。そして、輝度信号の伸張率としては、伸張率特性#1（図４）に従い、輝度信号の補正量から算出される補正最大画素値に対する伸張率が算出される。
【０２８３】
また、発光倍率は、発光倍率特性#1（図４）に従って算出され、輪郭強調度は、「弱」、又は、「中」とされる。
【０２８４】
さらに、色信号の伸張率としては、輝度信号の伸張率が設定され、画像補正部１８において、輝度信号、及び、色信号それぞれについて、画像補正処理が行われる。
【０２８５】
補正量設定モードが可変モードに、表示モード設定モードが手動モードに、表示モードが視認性向上モードに、それぞれ設定されている場合、輝度信号の補正量は、図１４Ｆの補正量特性#6に従って算出される。そして、輝度信号の伸張率としては、伸張率特性#2（図４）に従い、輝度信号の補正量から算出される補正最大画素値に対する伸張率が算出される。
【０２８６】
また、発光倍率は、発光倍率特性#2（図４）に従って算出され、輪郭強調度は、「強」とされる。
【０２８７】
さらに、色信号の伸張率としては、輝度信号の伸張率に所定のマージンを加算した値が設定され、画像補正部１８において、輝度信号、及び、色信号それぞれについて、画像補正処理が行われる。
【０２８８】
なお、画像補正部１８において、表示モードが視認性向上モードの場合に行う画像補正処理は、光源３２からの光を用いて画像を表示する表示装置３０の他、例えば、有機EL(Electro Luminescence)を用いた表示装置等の自発光型の表示装置にも適用可能である。
【０２８９】
［本発明を適用したコンピュータの説明］
【０２９０】
次に、上述した表示制御装置１０が行う処理のうちの、制御部１３が行う処理の他、ヒストグラム生成部１５ないし発光量算出部１９が行う処理は、ハードウェアにより行うこともできるし、ソフトウェアにより行うこともできる。
【０２９１】
制御部１３や、ヒストグラム生成部１５ないし発光量算出部１９が行う一連の処理を、ソフトウェアによって行う場合には、そのソフトウェアを構成するプログラムが、マイクロコンピュータ等にインストールされる。
【０２９２】
そこで、図１６は、上述した一連の処理を実行するプログラムがインストールされるコンピュータの一実施の形態の構成例を示している。
【０２９３】
プログラムは、コンピュータに内蔵されている記録媒体としてのハードディスク１０５やROM１０３に予め記録しておくことができる。
【０２９４】
あるいはまた、プログラムは、リムーバブル記録媒体１１１に格納（記録）しておくことができる。このようなリムーバブル記録媒体１１１は、いわゆるパッケージソフトウエアとして提供することができる。ここで、リムーバブル記録媒体１１１としては、例えば、フレキシブルディスク、CD-ROM(Compact Disc Read Only Memory)，MO(Magneto Optical)ディスク，DVD(Digital Versatile Disc)、磁気ディスク、半導体メモリ等がある。
【０２９５】
なお、プログラムは、上述したようなリムーバブル記録媒体１１１からコンピュータにインストールする他、通信網や放送網を介して、コンピュータにダウンロードし、内蔵するハードディスク１０５にインストールすることができる。すなわち、プログラムは、例えば、ダウンロードサイトから、ディジタル衛星放送用の人工衛星を介して、コンピュータに無線で転送したり、LAN(Local Area Network)、インターネットといったネットワークを介して、コンピュータに有線で転送することができる。
【０２９６】
コンピュータは、CPU(Central Processing Unit)１０２を内蔵しており、CPU１０２には、バス１０１を介して、入出力インタフェース１１０が接続されている。
【０２９７】
CPU１０２は、入出力インタフェース１１０を介して、ユーザによって、入力部１０７が操作等されることにより指令が入力されると、それに従って、ROM(Read Only Memory)１０３に格納されているプログラムを実行する。あるいは、CPU１０２は、ハードディスク１０５に格納されたプログラムを、RAM(Random Access Memory)１０４にロードして実行する。
【０２９８】
これにより、CPU１０２は、上述したフローチャートにしたがった処理、あるいは上述したブロック図の構成により行われる処理を行う。そして、CPU１０２は、その処理結果を、必要に応じて、例えば、入出力インタフェース１１０を介して、出力部１０６から出力、あるいは、通信部１０８から送信、さらには、ハードディスク１０５に記録等させる。
【０２９９】
なお、入力部１０７は、キーボードや、マウス、マイク等で構成される。また、出力部１０６は、LCD(Liquid Crystal Display)やスピーカ等で構成される。
【０３００】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。
【０３０１】
また、プログラムは、１のコンピュータ（プロセッサ）により処理されるものであっても良いし、複数のコンピュータによって分散処理されるものであっても良い。さらに、プログラムは、遠方のコンピュータに転送されて実行されるものであっても良い。
【０３０２】
なお、本発明の実施の形態は、上述した実施の形態に限定されるものではなく、本発明の要旨を逸脱しない範囲において種々の変更が可能である。
【符号の説明】
【０３０３】
１０  表示制御装置，  １１  照度センサ，  １２  A/D変換部，  １３  制御部，  １３Ａ  CPU，  １３Ｂ  メモリ，  １４  操作部，  １５  ヒストグラム生成部，  １６  最大画素値検出部，  １７  最大画素値補正部，  １８  画像補正部，  １９  発光量算出部，  ３０  表示装置，  ３１  光源駆動部，  ３２  光源，  ３３  表示パネル，  ４１  表示モード設定部，  ４２  補正量設定部，  ４３  基準発光量設定部，  １０１  バス，  １０２  CPU，  １０３  ROM，  １０４  RAM，  １０５  ハードディスク，  １０６  出力部，  １０７  入力部，  １０８  通信部，  １０９  ドライブ，  １１０  入出力インタフェース，  １１１  リムーバブル記録媒体
【図１】
2011128458.tif 000003
【図２】
2011128458.tif 000004
【図３】
2011128458.tif 000005
【図４】
2011128458.tif 000006
【図５】
2011128458.tif 000007
【図６】
2011128458.tif 000008
【図７】
2011128458.tif 000009
【図８】
2011128458.tif 000010
【図９】
2011128458.tif 000011
【図１０】
2011128458.tif 000012
【図１１】
2011128458.tif 000013
【図１２】
2011128458.tif 000014
【図１３】
2011128458.tif 000015
【図１４】
2011128458.tif 000016
【図１５】
2011128458.tif 000017
【図１６】
2011128458.tif 000018